(57)【特許請求の範囲】
【請求項１】
着信先の呼出し時に、発信元の加入者番号を示す発信者情報が着信先に通知される通信網に接続されるものであって、通信を行う際に動作するメインＣＰＵを含む所定部位への電力供給をメイン電源から行い、通信を行わない間は前記メイン電源からの電力供給をオフしておく省電力モードを実現する省電力制御手段を有したファクシミリ装置において、
前記発信者情報に示された加入者番号に対し着信を許可する相手先として指定された着信許可番号が登録されたメモリと、
着信先の呼出し時に前記通信網から通知される前記発信者情報を受信する発信者情報受信部と、
前記メイン電源がオフされると、前記発信者情報受信部で前記発信者情報を受信するのを待ち受ける状態に移行し、前記発信者情報を受信すると、その発信者情報に示された加入者番号と同一の着信許可番号が前記メモリに登録されているか否かを判断し、登録されている場合にのみ前記メイン電源をオンする着信立上げ制御手段を有したサブＣＰＵと、
前記メモリ、前記発信者情報受信部及び前記サブＣＰＵに電力を常時供給するサブ電源と、
を具備したことを特徴とするファクシミリ装置。
【請求項２】
着信先の呼出し時に、発信元の加入者番号を示す発信者情報が着信先に通知される通信網に接続されるファクシミリ装置であって、
通信を行う際に動作するメインＣＰＵを含む所定部位への電力供給をメイン電源から行い、通信を行わない間は前記メイン電源からの電力供給をオフしておく省電力モードを実現するとともに、
前記発信者情報に示された加入者番号に対し着信を許可する相手先として指定された着信許可番号が登録されたメモリと、着信先の呼出し時に前記通信網から通知される前記発信者情報を受信する発信者情報受信部と、サブＣＰＵとを含む部位への電力供給をサブ電源から常時行い、
前記サブＣＰＵは、
前記メイン電源がオフされると、前記発信者情報受信部で前記発信者情報を受信するのを待ち受ける状態に移行し、前記発信者情報を受信すると、その発信者情報に示された加入者番号と同一の着信許可番号が前記メモリに登録されているか否かを判断し、登録されている場合にのみ前記メイン電源をオンすることを特徴とするファクシミリ装置の着信立上げ制御方法。
【発明の詳細な説明】
【０００１】
【発明の属する技術分野】
本発明は、着信先に発信元を示す所定の識別情報が通知される通信網に接続されて使用されるものであり、かつ通信を行わない間は通信を行う際に動作する所定部位への電力供給をオフしておく省電力モードを有したファクシミリ装置に関する。
【０００２】
【従来の技術】
ファクシミリ装置には、通信を行っていないときには主要な回路へ電力供給を行う主電源をオフしておき、通信を行う必要が生じたことに応じて主電源をオンすることにより消費電力の低減を図る省電力モードを有するものがある。
【０００３】
またファクシミリ装置には、着信時に発信元を識別し、特定の発信元以外からの着信である場合には、通信を終了する用にしたものがある。
【０００４】
そしてこれらの２つの機能をともに備えたファクシミリ装置では、省電力モードが設定されている際には、着信が発生した場合は特定の発信元以外からの着信であっても、一旦主電源をオンするものとなっている。
【０００５】
【発明が解決しようとする課題】
以上のように従来のファクシミリ装置は、省電力モードが設定されている際に着信が発生した場合、その着信が通信を行わない相手からの着信や間違い電話であったとしても、通信を行う際に動作する各部への電力供給をオンするものとなっているため、省電力モードによる消費電力の低減効果が小さくなってしまうという不具合があった。
【０００６】
本発明はこのような事情を考慮してなされたものであり、その目的とするところは、省電力モード設定時において通信を行う際に動作する所定部位への電力供給をオンする回数を低減し、これにより効率良く消費電力を低減することができるファクシミリ装置及びその着信立上げ制御方法を提供することにある。
【０００７】
【課題を解決するための手段】
以上の目的を達成するために本発明は、接続された通信網から通知される発信者情報に示された加入者番号に対し着信を許可する相手先として指定された着信許可番号が登録されたメモリと、着信先の呼出し時に前記通信網から通知される前記発信者情報を受信する例えばＣＩ受信部などの発信者情報受信部と、サブＣＰＵと、前記メモリ、前記発信者情報受信部及び前記サブＣＰＵに電力を常時供給するサブ電源とを備え、サブＣＰＵが、通信を行う際に動作するメインＣＰＵを含む所定部位へ電力供給を行うメイン電源がオフされると、前記発信者情報受信部で前記発信者情報を受信するのを待ち受ける状態に移行し、前記発信者情報を受信すると、その発信者情報に示された加入者番号と同一の着信許可番号が前記メモリに登録されているか否かを判断し、登録されている場合にのみ前記メイン電源をオンする着信立上げ制御手段を有したものである。
【０００８】
このような手段を講じたことにより、省電力モードの機能により通信を行う際に動作する所定部位への電力供給がオフされている際に着信が発生した場合、それが着信が許可されていない相手からの着信であるならば、前記所定部位への電力供給はオンされない。従って、動作する必要がない部位への電力供給が無駄に行われることが防止される。
【０００９】
【発明の実施の形態】
以下、図面を参照して本発明の一実施形態につき説明する。
【００１０】
図１は本実施形態に係るファクシミリ装置の要部構成を示すブロック図である。
【００１１】
この図に示すように本実施形態のファクシミリ装置は、メインＣＰＵ１、ＲＯＭ２、ＲＡＭ３、スキャナ４、プリンタ５、符号化・復号化部６、操作パネル７、網制御回路（ＮＣＵ）８、モデム９、ハンドセット１０、セレクタ１１、鳴動部１２、サブメインＣＰＵ１３、ＲＯＭ１４、ＣＩ受信部１５、メイン電源１６およびサブ電源１７を有している。
【００１２】
そして、メインＣＰＵ１、ＲＯＭ２、ＲＡＭ３、スキャナ４、プリンタ５、符号化・復号化部６、操作パネル７、ＮＣＵ８、モデム９、セレクタ１１、鳴動部１２およびメイン電源１６は、システムバス１８を介して互いに接続して構成されている。
【００１３】
また、ＲＡＭ３、サブメインＣＰＵ１３、ＲＯＭ１４、ＣＩ受信部１５およびメイン電源１６は、システムバス１９を介して互いに接続して構成されている。
【００１４】
メインＣＰＵ１は、ＲＯＭ２に格納された制御プログラムに基づいて本ファクシミリ装置の各部を総括制御するための制御処理を行なうことでファクシミリ装置としての動作を実現するものである。このメインＣＰＵ１がＲＯＭ２に格納された制御プログラムに基づいて動作することで実現される制御手段は、ファクシミリ装置における周知の一般的なものに加えて、省電力制御手段を有している。この省電力制御手段は、省電力モードの設定時において、例えば通信終了後に新たな通信が発生することなしに一定時間が経過するなどの所定の条件が満たされたことに応じてメイン電源１６をオフするものである。
【００１５】
ＲＯＭ２は、メインＣＰＵ１の制御プログラム等を記憶している。
【００１６】
ＲＡＭ３は、メインＣＰＵ１やサブＣＰＵ１３が各種の処理を行なう上で必要となる各種の情報を記憶しておくためのものである。そしてこのＲＡＭ３には、着信を許可する相手先として指定された電話番号（以下、着信許可番号と称する）を登録しておくためにも使用される。
【００１７】
スキャナ４は、送信原稿の読取り、ディジタル化、シェーディング補正や暗時補正などの各種の補正処理などを行って画像データを生成するものである。
【００１８】
プリンタ５は、画像データが示す画像を記録用紙に対して印字するものである。
【００１９】
符号化・復号化部６は、スキャナ４により生成された画像データを圧縮符号化したり、圧縮符号化された画像データを復号化する。
【００２０】
操作パネル７は、ユーザによるメインＣＰＵ１に対する各種の指示入力を受け付けるためのキー入力部やユーザに対して報知すべき各種の情報を表示するための表示部などを有したものである。
【００２１】
ＮＣＵ８には、通信回線Ｃがセレクタ１１を介して接続される。そしてこのＮＣＵ８は、接続された通信回線Ｃに関して、状態監視や網への発信処理などを行なう。またＮＣＵ８は、通信回線Ｃに対して送出するファクシミリ伝送信号の等化を図るとともに、レベルを設定する。なお通信回線Ｃは、着信先の呼出し時に、発信元の加入者番号などを示す発信者情報を含んだＣＩ（Caller ID ）信号を着信先に与える機能を有する加入者電話網（図示せず）に収容されたものである。
【００２２】
モデム９は、ＮＣＵ８に接続されている。そしてこのモデム９は、画像データや制御データを変調して、通信回線Ｃへと送出するためのファクシミリ伝送信号や制御信号を生成する。またモデム９は、通信回線Ｃを介して到来したファクシミリ伝送信号や制御信号を復調して画像データや制御データを再生する。
【００２３】
ハンドセット１０は、送話器および受話器を有し、通信回線Ｃを介しての音声通話を行うためのものである。
【００２４】
セレクタ１１は、通信回線ＣをＮＣＵ８およびハンドセット１０に択一的に接続する。
【００２５】
鳴動部１２は、着信発生をユーザに報知するためなどの鳴動を行う。
【００２６】
サブＣＰＵ１３は、ＲＯＭ１４に格納された制御プログラムに基づいてメイン電源１６のオン制御を行う。すなわちサブＣＰＵ１３は、ソフトウェア処理によって着信立上げ制御手段を実現する。
【００２７】
ＲＯＭ１４は、サブＣＰＵ１３の制御プログラム等を記憶している。
【００２８】
ＣＩ受信部１５は、ＣＩ信号の検出と、発信者情報の受信とを行う。
【００２９】
メイン電源１６は、メインＣＰＵ１、ＲＯＭ２、スキャナ４、プリンタ５、符号化・復号化部６、操作パネル７、ＮＣＵ８、モデム９、セレクタ１１および鳴動部１２を含むセクションＳ１の各部に電力供給する。
【００３０】
サブ電源１７は、ＲＡＭ３、サブＣＰＵ１３、ＲＯＭ１４およびＣＩ受信部１５を含むセクションＳ２の各部に電力供給する。
【００３１】
すなわち、通信を実現するための処理を行う部分で、特に電力消費が大きい部分は、メイン電源１６からの電力供給を受けて動作する。
【００３２】
次に、以上のように構成されたファクシミリ装置の動作につき説明する。
【００３３】
図示しない電源スイッチがユーザによりオンされると、メイン電源１６およびサブ電源１７からの電力供給が開始され、メインＣＰＵ１およびサブＣＰＵ１３がそれぞれ起動する。
【００３４】
そうするとメインＣＰＵ１は、例えば従来よりある周知のファクシミリ装置の場合と同様な処理を実行する。そして、省電力モードが設定されており、かつ電源をオフする所定の条件が成立したならば、メインＣＰＵ１はメイン電源１６をオフとする。
【００３５】
さてサブＣＰＵ１３は、サブ電源１７からの電力供給が開始されて起動すると、図２に示すような処理を実行する。
【００３６】
この処理においてサブＣＰＵ１３はまず、メイン電源１６がオフされるのを待ち受ける（ステップＳＴ１）。
【００３７】
従って、上述のようにメインＣＰＵ１によってメイン電源１６がオフされたならば、これをサブＣＰＵ１３が検出することになる。そしてこの場合にサブＣＰＵ１３は、通信回線Ｃを介してＣＩ信号が到来し、そのＣＩ信号がＣＩ受信部１５で検出されるのを待ち受ける状態（ステップＳＴ２）に移行する。
【００３８】
さて、他の端末から本ファクシミリ装置への発呼がなされた場合、加入者電話網側から通信回線Ｃを介してＣＩ信号が与えられる。そしてＣＩ受信部１５では、このＣＩ信号の到来監視を行っているので、上述のようにＣＩ信号が与えられると、その旨がＣＩ受信部１５で検出される。
【００３９】
このようにＣＩ信号が検出されたならば、サブＣＰＵ１３はＣＩ信号に含まれている発信者情報の受信を行うようＣＩ受信部１５に指示し（ステップＳＴ３）、発信者情報の受信が終了するのを待ち受ける（ステップＳＴ４）。
【００４０】
発信者情報の受信が終了したならば、サブＣＰＵ１３はその受信された発信者情報を認識し、その発信者情報に示された発信者番号（発信者の加入者番号）と同一の着信許可番号をＲＡＭ３に登録された着信許可番号の中から検索する（ステップＳＴ５）。そしてサブＣＰＵ１３は、上記の検索により該当する着信許可番号が検出できたか否かを確認する（ステップＳＴ６）。なお、着信許可番号の登録は、ユーザによっては市外局番などの省略した状態で行われることがあり得、この場合には通知される全桁の発信者番号とそのまま比較すると、着信許可された相手からの着信であっても、発信者情報に示された発信者番号と同一の着信許可番号をＲＡＭ３に登録された着信許可番号の中から検出できないおそれがある。そこで、ステップＳＴ５での検索の際に比較する桁数をユーザにより設定可能としておくと良い。
【００４１】
ここで、該当する着信許可番号が検出できた場合にのみ、すなわち今回の着信の発信者が着信許可された相手である場合にのみ、サブＣＰＵ１３はメイン電源１６をオンし（ステップＳＴ７）、この上でステップＳＴ１以降の処理を繰り返す。
【００４２】
メイン電源１６がオンされると、メインＣＰＵ１が起動し、今回の着信に対応する処理が周知の手順で実行される。すなわち、ファクシミリ通信を行う場合であれば、メインＣＰＵ１の制御の下にセレクタ１１が通信回線ＣをＮＣＵ８に接続し、ＮＣＵ８およびモデム９によりファクシミリ通信が実行される。また、音声通話を行う場合であれば、メインＣＰＵ１の制御の下にセレクタ１１が通信回線Ｃをハンドセット１０に接続し、ハンドセット１０を用いた音声通話を行うことができる状態とされるとともに、鳴動部１２でメインＣＰＵ１の制御の下に着信鳴動が行われる。さらにファクシミリ通信を行う場合および音声通話を行う場合のいずれでも、操作パネル１１に備えられた表示器での発信者番号表示が行われる。
【００４３】
これに対して、該当する着信許可番号が検出できなかった場合、すなわち今回の着信の発信者が着信許可されていない相手である場合には、サブＣＰＵ１３はそのままステップＳＴ２以降の処理を繰り返す。
【００４４】
従って、メインＣＰＵ１が起動せず、上述のような着信に対応する処理が行われないので、着信は無視される。このとき、セレクタ１１によるハンドセット１０の選択も、鳴動部１２による着信鳴動も行われないので、音声通話も行うことができない。
【００４５】
このように本実施形態によれば、省電力モードが設定されていてメイン電源１６がオフされているときに着信が発生しても、その着信の発信先が着信許可された相手ではない場合には、メイン電源１６は全くオンされることがない。そして、着信許可された相手からの着信の場合にのみメイン電源１６がオンされる。
【００４６】
従って、メイン電源１６からの電力供給が無駄に行われることがなく、消費電力の低減効率が向上する。
【００４７】
なお、本発明は上記実施形態に限定されるものではない。例えば発信者情報が通知されない場合があるならば、一定時間の間に発信者情報が受信できなかったことに応じて、メイン電源１６をオンしたり、逆にメイン電源１６をオンしないと決定するようにしても良い。さらにこの場合、発信者情報が通知されない場合にメイン電源１６をオンするか否か、すなわち発信者情報が通知されない相手の着信を許可するか否かをユーザが設定できるようにしておくようにしておくと良い。
【００４８】
また、メイン電源１６からの電力供給対象は、上記実施形態に示したものには限定されない。
【００４９】
また上記実施形態では、セクションＳ１およびセクションＳ２に電力供給するために、メイン電源１６およびサブ電源１７を個別に設けるものとしているが、単一の電源から選択的に電源供給をオン／オフできるようにしても良い。
【００５０】
また上記実施形態では、着信を許可する相手の加入者番号をＲＡＭ３に登録することとしているが、着信を禁止する相手の加入者番号を登録し、ここに登録されている加入者番号以外の加入者番号が通知された場合にメイン電源１６をオンするようにしても良い。
【００５１】
また、ＣＩ信号に発信者の名称などの加入者番号以外の情報が含まれるならば、その情報に対応付けて着信の可否を登録するようにしても良い。
【００５２】
また上記実施形態では、着信を許可する相手の加入者番号をＲＡＭ３に登録することとしているが、ワンタッチダイヤルや短縮ダイヤルのために登録された加入者番号を着信を許可する相手の加入者番号として流用することにしても良い。このようにすれば、着信を許可する相手の加入者番号を記憶する領域を新たにＲＡＭ３に確保する必要が無くなり、ＲＡＭ３の有効利用を図ることができるとともに、登録にかかるユーザの手間も省くことができる。
【００５３】
このほか、本発明の要旨を逸脱しない範囲で種々の変形実施が可能である。
【００５４】
【発明の効果】
本発明によれば、省電力モード設定時において通信を行う際に動作する所定部位への電力供給をオンする回数を低減し、これにより効率良く消費電力を低減することができるファクシミリ装置及びその着信立上げ制御方法を提供できる。
【図面の簡単な説明】
【図１】本発明の一実施形態に係るファクシミリ装置の要部構成を示すブロック図。
【図２】サブＣＰＵ１３の処理手順を示すフローチャート。
【符号の説明】
１…メインＣＰＵ
２…ＲＯＭ
３…ＲＡＭ
４…スキャナ
５…プリンタ
６…符号化・復号化部
７…操作パネル
８…網制御回路（ＮＣＵ）
９…モデム
１０…ハンドセット
１１…セレクタ
１２…鳴動部
１３…サブＣＰＵ
１４…ＲＯＭ
１５…受信部
１６…メイン電源
１７…サブ電源
１８…システムバス
１９…システムバス
Ｃ…通信回線
【図１】
0004005230.tif 000002
【図２】
0004005230.tif 000003